(57)【要約】  本発明は、拡開ボディ（３）を有する軸部（２）と、拡開スリーブ（６）とを備えた拡開アンカであって、拡開スリーブ（６）が、軸部（２）に沿って摺動可能でかつ拡開スリーブ（６）内への拡開ボディ（３）の引込みにより拡開可能である形式のものに関する。本発明により、１つまたは複数の拡開エレメント（１０）が、軸部（２）に配置されることが提案される。この拡開エレメント（１０）は、スリーブ（１１）によって軸方向に圧縮可能であり、これにより拡張可能である。拡開エレメント（１０）は、拡開アンカ（１）の軸部（２）を横方向に支持する。拡張エレメント（１０）が、工業的な編組、織布、縦編み地、横編み地またはこれに類するものからなるチューブとして製造されていると有利である。この場合、「工業的」とは、編組、織布、縦編み地、横編み地またはこれに類するものが、たとえばプラスチック繊維、炭素繊維、ガラス繊維またはこれに類する繊維によって製造されていることを意味している。
2009542998.tif 000002
【特許請求の範囲】
【請求項１】
拡開ボディ（３）を有する軸部（２）と、拡開スリーブ（６）とを備えた拡開アンカであって、拡開スリーブ（６）が、軸部（２）に沿って摺動可能でかつ拡開スリーブ（６）内への拡開ボディ（３）の引込みにより拡開可能である形式のものにおいて、軸部（２）に、弾性的な管状の拡開エレメント（１０）が配置されており、該拡開エレメント（１０）が、軸方向の圧縮によって膨張可能であることを特徴とする拡開アンカ。
【請求項２】
拡開エレメント（１０）の、拡開ボディ（３）とは反対の側で、拡開エレメント（１０）を軸方向に圧縮するためのスリーブ（１１）が、軸部（２）に配置されている、請求項１記載の拡開アンカ。
【請求項３】
拡開アンカ（１）が、軸部（２）に配置された複数の拡開エレメント（１０）を有している、請求項１記載の拡開アンカ。
【請求項４】
拡開アンカ（１）が、拡開エレメント（１０）の、拡開ボディ（３）寄りの側に、拡開エレメント（１０）のための軸方向支持部（９）を有している、請求項１記載の拡開アンカ。
【請求項５】
拡開アンカ（１）が、スペーサエレメント（８）を有しており、該スペーサエレメント（８）が、拡開スリーブ（６）と、拡開エレメント（１０）との間で軸部（２）に配置されており、スペーサエレメント（８）を介して、拡開エレメント（１０）が、拡開スリーブ（６）または軸方向支持部（９）に軸方向で支持されている、請求項１記載の拡開アンカ。
【請求項６】
拡開エレメント（１０）が、工業的な編組、織布、縦編み地、横編み地またはそれに類するものを有している、請求項１記載の拡開アンカ。
【発明の詳細な説明】
【技術分野】
【０００１】
本発明は、請求項１の上位概念部に記載の形式の拡開アンカであって、拡開ボディを有する軸部と、拡開スリーブとを備えた拡開アンカであって、拡開スリーブが、軸部に沿って摺動可能でかつ拡開スリーブ内への拡開ボディの引込みにより拡開可能である形式のものに関する。
【０００２】
このような形式の拡開アンカは自体公知である。拡開アンカは、拡開ボディを有するシャンクもしくは軸部と、拡開スリーブとを有している。拡開スリーブは、拡開ボディを引き込むことによって拡開可能であり、これにより拡開アンカを、アンカ止め基盤に設けられた穿孔内に固定する。拡開スリーブは、スリット付けされていてよい。拡開ボディは、通常は円錐形である。拡開スリーブ内に拡開ボディを引き込むことは、逆に言えば、拡開スリーブを拡開ボディに押し被せることである。
【０００３】
本発明の課題は、拡開アンカの横方向支持を改善することである。
【０００４】
この課題は、本発明により、請求項１の特徴部に記載の特徴によって解決される。本発明による拡開アンカの軸部には、弾性的な管状の拡開エレメントが配置されている。この拡開エレメントは軸方向に圧縮可能であるので、この拡開エレメントは膨張する。圧縮されかつ膨張された拡開エレメントは、拡開アンカの軸部を半径方向で穿孔内に支持する。拡開スリーブの拡開と、拡開エレメントの膨張とは、１つの作業工程で行うことができるので、アンカ固定にかかる手間は増大されていない。弾性的な拡開エレメントは、追従回動防止部を形成し、その弾性特性によって、たとえば亀裂形成によって生ぜしめられた穿孔拡張を補償し、不規則的な穿孔壁にも適合する。特に、弾性的な拡開エレメントが、穿孔開口の近傍に配置されていると、拡開エレメントは、拡開アンカの軸部のための効果的な横方向力支持部を形成する。拡開エレメントはシーリング効果を有している。拡開アンカが動的に負荷された場合のアンカ固定の耐久性、ひいては耐震特性が、弾性的な拡開エレメントの減衰作用により改善されている。
【０００５】
拡開エレメントの、拡開ボディとは反対の側に、拡開エレメントを圧縮するためのスリーブが軸部に配置されていると有利である。
【０００６】
拡開エレメントを「管状」と呼び、スリーブを「スリーブ」と呼んでいることは、これらを円筒形状に制限するものではない。本発明による拡開アンカは軸部として、拡開ボディにねじ込まれるボルトまたはねじを有していてもよい。
【０００７】
本発明のさらに別の実施態様では、拡開アンカの軸部に複数の拡開エレメントが配置されている。これによって軸部の横方向支持が改善され、引張りに対するアンカ固定の強度が付加的に改善する。個々の拡開エレメントが、互いに異なる硬さ、長さまたは表面を有していてもよいので、拡開エレメントは、種々異なる穿孔壁に最適に適合することができる。
【０００８】
本発明の実施形態では、拡開エレメントのための、たとえば環状段部またはたとえば円錐体の形の軸方向支持部が設けられている。軸方向支持部は、拡開エレメントの、スリーブとは反対の側に配置されている。軸方向支持部は、スリーブによる圧縮の際に拡開エレメントを支持する。軸方向支持部は、必ずしも必要ではなく、拡開エレメントを軸方向で拡開スリーブに支持することも考えられる。
【０００９】
本発明の別の実施形態では、スペーサエレメントが設けられている。このスペーサエレメントを介して、拡開エレメントは軸方向で拡開スリーブに支持される。スペーサエレメントは、同じくスリーブであってよい。このスペーサエレメントにより、拡開アンカの軸部における軸方向支持部と同様に、拡開スリーブと拡開エレメントとの間の軸方向の間隔を得ることができる。これにより、拡開エレメントは、たとえば拡開アンカがアンカ固定される穿孔の開口の近傍に位置決めされ得る。
【００１０】
拡開エレメントは、たとえばゴム弾性的な材料から成っていてよい。本発明の１実施形態では、拡開エレメントのために工業的な編組、織布、縦編み地、横編み地またはこれに類するものが規定されている。拡開エレメントは、たとえばストッキングまたはチューブの形を有している。「工業的」とは、編組、織布、縦編み地、横編み地またはこれに類するものが、繊維糸（textil. Faden）ではなく、１種または数種の工業的な糸から製造されていることを意味している。「工業的な糸」とは、たとえばプラスチック繊維、ガラス繊維、炭素繊維あるいはまた金属線材を意味している。本発明による拡開アンカの拡開エレメントは、これにより種々多様な形で負荷および使用目的に適合することができる。
【００１１】
以下に本発明の実施例を図面につき詳しく説明する。２つの図面は、本発明による拡開アンカの側面図を、出発状態（図１）と、拡開された状態（図２）とで示している。
【図面の簡単な説明】
【００１２】
【図１】拡開アンカの出発状態で示す側面図である。
【図２】拡開アンカの拡開された状態で示す側面図である。
【００１３】
図１に示す本発明による拡開アンカ１は、一方の端部に円錐状の拡開ボディ３を備えた棒状の軸部２を有している。この軸部２の他方の端部は、ねじ山４を備えている。このねじ山４には、ナット５が螺合されている。拡開ボディ３に続いて、軸部２には拡開スリーブ６が配置されている。拡開スリーブ６は、この拡開スリーブ６を拡開可能にするために長手方向スリット７を有している。この長手方向スリット７は、拡開スリーブ６の、拡開ボディ３寄りの端部では開いていて、拡開スリーブ６の他方の端部では閉じられている。拡開スリーブ６は、拡開ボディ３に押被せ可能であり、それによって拡開可能である。また、拡開スリーブ６を拡開させるために、拡開ボディ３を拡開スリーブ６内に引き込むとも云える。
【００１４】
拡開スリーブ６に対して、場合によっては軸方向の間隔を空けて、スペーサエレメント８としてのスリーブが軸部２に配置されている。スペーサエレメント８は、環状段部９に軸方向で支持されている。この環状段部９では、軸部２が、拡開ボディ３からねじ山４の方向に向かって減径している。スペーサエレメント８に続いて、弾性的な管状の２つの拡開エレメント１０が軸部２に沿って配置されている。この拡開エレメント１０は、スリーブ状またはチューブ状と呼ぶこともできる。拡開エレメント１０の数は、必ずしも２つである必要はなく、基本的には１つの拡開エレメント１０でも十分となるか、または２つよりも多い拡開エレメント１０が設けられていてもよい。重要となるのは、拡開エレメント１０が、軸方向の圧縮によって膨張可能であること、つまり拡開エレメント１０はその外周もしくは外径を軸方向の圧縮によって拡大させることである。
【００１５】
拡開エレメント１０は、たとえば、ゴムまたはプラスチックから成る管片であってよい。本発明の図示の前記実施例では、拡開エレメント１０が、工業的な編組、織布、縦編み地、横編み地またはこれに類するものから成るチューブである。この場合「工業的」とは、編組、織布、縦編み地、横編み地を形成する糸が、繊維糸からではなく、たとえばプラスチック繊維、炭素繊維、ガラス繊維等または線材から製造されていることを意味する。
【００１６】
拡開エレメント１０に続いて拡開アンカ１の軸部２にはスリーブ１１が配置されている。
【００１７】
アンカ止め基盤（図示せず）に設けられた穿孔内に拡開アンカ１をアンカ固定するためには、拡開アンカ１が拡開ボディ３を先頭にして穿孔内に導入され、この場合拡開アンカ１は、少なくとも拡開エレメント１０が穿孔内に位置する深さにまで穿孔に導入される。拡開スリーブ６は過剰寸法により穿孔内にクランプ式に保持されるので、拡開アンカ１の軸部２をねじ山４を引っ張ることにより、拡開ボディ３を拡開スリーブ６内に引き込み、これによって拡開スリーブ６を拡開させることができる。拡開アンカ１は、これによって穿孔内にアンカ固定される。
【００１８】
たとえばナット５をねじ山４に沿って押し進めることによってスリーブ１１に軸方向の圧力を加えることにより、拡開エレメント１０は、軸方向に圧縮され、これにより図２に示すように膨らまされる。拡開エレメント１０は、その弾性により、不規則的に成形された穿孔壁にも適合する。膨らまされた拡開エレメント１０は、軸部２を穿孔内で横方向に支持する。良好な横方向力支持を保証するためには、ねじ山４に近い方の拡開エレメント１０が穿孔の開口の近傍に位置するようにスペーサエレメント８の軸方向の長さが、穿孔の深さもしくは拡開アンカ１の設置深さに合わせて調整されていることが望ましい。横方向力支持の他に、拡開エレメント１０は、穿孔内での軸方向における軸部２の付加的な保持を生ぜしめる。
【００１９】
拡開スリーブ６の拡開および拡開エレメント１０の膨張は、１つの作業ステップで行われる。この作業ステップでは、軸部２に引張力が加えられると同時に、スリーブ１１に押圧力が加えられる。このことは、たとえばスリーブ１１に支持されているナット５を、ねじ山４に沿って押し進めることによって行われる。拡開アンカ１は、いわゆる差通し組付けの形で取り付けられる。つまり拡開アンカ１は、固定したい構造部分（図示せず）に設けられた孔を通じて、既に上述したように、穿孔内に差し込まれる。固定したい対象物は、スリーブ１１の領域に位置する。
【図１】
2009542998.tif 000003
【図２】
2009542998.tif 000004
【国際調査報告】
2009542998.tif 000005
2009542998.tif 000006
2009542998.tif 000007
2009542998.tif 000008
2009542998.tif 000009
2009542998.tif 000010